(57)【要約】【課題】  スピニングリールにおいて、リール全体の大型化を防止する。【解決手段】  ピニオンギア１２は、中間部１２ｉの２箇所が、ピニオン支持部１４、すなわち隣接して配置された２つの転がり軸受からなる第１支持部１４ａ及び第２支持部１４ｂを介してリール本体２に回転自在に支持されている。スプール軸１５は、ピニオンギア１２の内周部を貫通しており、筒状部１２ｂの前部１２ａより前方及び筒状部１２ｂの後部１２ｆより後方のスプール軸１５外周は、それぞれ第３支持部１４ｃ及び第４支持部１４ｄによって回転自在に支持されている。【選択図】      図３
2006333756.tif 000002
【特許請求の範囲】
【請求項１】
釣竿に装着され、釣り糸を前方に繰り出し可能なスピニングリールであって、
前記釣竿に装着され、ハンドルを有するリール本体と、
前記リール本体に前後方向に沿って移動可能に装着されたスプール軸と、
前記スプール軸の前端に装着され、外周に前記釣り糸が巻き付けられるスプールと、
前記スプールの外周側に回転自在に設けられ、前記釣り糸を前記スプールに巻き付けるロータと、
前記リール本体に回転自在に支持され、前記ハンドルが回転不能に装着されたフェースギアと、
内周部に前記スプール軸が貫通する筒状部と、前記筒状部の後部外周に設けられ前記フェースギアに噛み合う歯部と、前記筒状部の前部外周に設けられ前記ロータが回転不能に装着される装着部とを有するピニオンギアと、
前記ロータを前記装着部に固定するために前記筒状部の前端から装着されるナット部材と、
前記リール本体に装着され、前記歯部の前部近傍にのみ配置され、前記筒状部の外周を回転自在に支持するピニオン支持部と、
を備えたスピニングリール。
【請求項２】
前記ピニオン支持部は、軸方向長さが前記筒状部の直径の８０％以上１５０％以下の範囲の長さ、望ましくは前記筒状部の直径の１００％以上１２０％以下の範囲の長さになるように形成されている、請求項１に記載のスピニングリール。
【請求項３】
前記ピニオン支持部は、前記歯部の前部に配置された第１支持部と、前記第１支持部の前部に隣接して配置された第２支持部とを有している、請求項１又は２に記載のスピニングリール。
【請求項４】
前記リール本体に装着され、前記筒状部の前端部より前方の前記スプール軸外周を支持する第３支持部をさらに備えている、請求項１から３のいずれか１項に記載のスピニングリール。
【請求項５】
前記リール本体に装着され、前記筒状部の後端部より後方の前記スプール軸外周を支持する第４支持部とをさらに備えている、請求項１から４のいずれか１項に記載のスピニングリール。
【請求項６】
前記ピニオン支持部、前記第１支持部及び前記第２支持部は、転がり軸受である、請求項１から５のいずれか１項に記載のスピニングリール。
【請求項７】
前記第４支持部は、滑り軸受である、請求項５又は６に記載のスピニングリール。
【請求項８】
前記第４支持部は、合成樹脂製の部材である、請求項７に記載のスピニングリール。
【請求項９】
前記スプール軸及び前記ピニオンギアは、ステンレス合金製の部材である、請求項１から８のいずれか１項に記載のスピニングリール。
【請求項１０】
前記スプール軸は、前記筒状部の内周部に隙間をあけて貫通している、請求項１から９のいずれか１項に記載のスピニングリール。
【請求項１１】
前記ロータの内部かつ前記筒状部の外周側に設けられ、前記ピニオン支持部が前記歯部との間に配置され、前記ロータの逆転を禁止・解除するための逆転防止機構をさらに備えている、請求項１から１０のいずれか１項に記載のスピニングリール。
【請求項１２】
前記逆転防止機構は、前記ロータの内周部に装着された外輪と、前記筒状部の外周に装着された内輪と、前記外輪と前記内輪との間に配置された転動体とを有している、請求項１１に記載のスピニングリール。
【発明の詳細な説明】
【技術分野】
【０００１】
本発明は、スピニングリール、特に、釣竿に装着され、釣り糸を前方に繰り出し可能なスピニングリールに関する。
【背景技術】
【０００２】
スピニングリールは、一般に、釣竿の軸方向に沿う軸回りに釣り糸を巻き取るリールである。スピニングリールは、ハンドルを有し釣竿に装着されるリール本体と、リール本体に前後移動自在に装着されたスプールと、スプールに釣り糸を案内するロータと、ハンドルの回転に連動してロータを回転させるロータ駆動機構とを備えている。
【０００３】
このロータ駆動機構は、ハンドルに回転不能に装着されたフェースギアと、フェースギアに噛み合うピニオンギアとを有している。ピニオンギアは、リール本体の前後に沿って配置された真鍮製の筒状体であり、リール本体に回転自在に支持されている。
【０００４】
ピニオンギアの外周後部には、フェースギアに噛み合う歯部が形成されている。また前部外周には、ロータを回転不能に装着するための装着部が形成されている。この装着部には、雄ねじ部が形成されており、この雄ねじ部にロータを固定するためのナット部材が装着されている。ピニオンギアの内周部には、スプールを先端に装着したスプール軸が貫通しており、スプール軸は、ピニオンギアの内周部に前後移動自在に支持されている。これにより、スプール軸は、ピニオンギアを介してリール本体に前後移動自在に装着される。
【０００５】
このような構成のスピニングリールでは、ピニオンギアは、歯部を挟んで前後の２箇所に間隔をあけて配置された転がり軸受等の軸受を介して、リール本体に回転自在に支持されている（たとえば、特許文献１参照）。ここでは、ピニオンギアの前後に間隔をあけて２つの軸受が介装されているので、ピニオンギアをバランスよく安定した状態で支持することができる。
【特許文献１】特開２００３−２８４４６６号公報（図３）
【発明の開示】
【発明が解決しようとする課題】
【０００６】
前記従来のスピニングリールは、２つの軸受がピニオンギアの前後に間隔をあけて配置されているので、ピニオンギアをバランスよく安定した状態で支持することができる。
【０００７】
しかし、２つの軸受は、ピニオンギアの前後に介装されているので、ピニオンギアの前後に軸受装着部を設ける必要が生じる。ピニオンギアの前後に軸受装着部を設けると、軸受装着部を設けた分だけピニオンギアの前後長さが長くなる。ピニオンギアの前後長さが長くなると、ピニオンギアを収納するためにリール本体を大きく形成する必要が生じることになり、リール全体が大型化するおそれが生じる。
【０００８】
また、特に、ピニオンギアの後部に軸受装着部を設けると、フェースギアや、ピニオンギアの歯部や、スプール軸を前後移動させるためのオシレーティング機構等の内部機構を構成する各部材を、軸受装着部と干渉することなく配置することが非常に困難である。内部機構を構成する各部材を軸受装着部と干渉することなく配置するには、リール本体の内部に各部材を配置するスペースを確保するためにリール本体を大きく形成する必要が生じるので、リール全体がさらに大型化するおそれが生じる。
【０００９】
本発明の課題は、スピニングリールにおいて、リール全体の大型化を防止することにある。
【課題を解決するための手段】
【００１０】
発明１に係るスピニングリールは、釣竿に装着され釣り糸を前方に繰り出し可能なスピニングリールであって、釣竿に装着されハンドルを有するリール本体と、リール本体に前後方向に沿って移動可能に装着されたスプール軸と、スプール軸の前端に装着され、外周に釣り糸が巻き付けられるスプールと、スプールの外周側に回転自在に設けられ釣り糸をスプールに巻き付けるロータと、リール本体に回転自在に支持されハンドルが回転不能に装着されたフェースギアと、筒状部と歯部と装着部とを有するピニオンギアと、ロータを装着部に固定するために筒状部の前端から装着されるナット部材と、リール本体に装着され歯部の前部近傍にのみ配置され筒状部の外周を回転自在に支持するピニオン支持部とを備えている。筒状部は、内周部にスプール軸が貫通している。歯部は、筒状部の後部外周に設けられフェースギアに噛み合っている。装着部は、筒状部の前部外周に設けられロータが回転不能に装着されている。
【００１１】
このスピニングリールでは、ピニオンギアは、歯部の前部近傍にのみ配置された、たとえば転がり軸受や滑り軸受等の軸受からなる１又は複数のピニオン支持部によって、回転自在に支持されている。
【００１２】
ここでは、ピニオンギアの筒状部を回転自在に支持するピニオン支持部が、歯部の前部近傍にのみ配置されているので、従来のようにピニオン支持部をピニオンギアの前後に設ける必要がなくなる。したがって、ピニオンギアの前後長さを短くすることができるので、リール本体をコンパクトにすることができ、リール全体の大型化を防止できる。
【００１３】
また、従来のようにピニオン支持部を取り付けるための軸受装着部を、ピニオンギアの後部に設ける必要がなくなるので、内部機構を構成する各部材を軸受装着部と干渉することなく配置することができる。したがって、リール本体の内部に各部材を配置するスペースを確保するためにリール本体を大きく形成する必要がなくなるので、リール全体のさらなる大型化を防止できる。
【００１４】
発明２に係るスピニングリールは、発明１のスピニングリールにおいて、ピニオン支持部は、軸方向長さが筒状部の直径の８０％以上１５０％以下の範囲の長さ、望ましくは筒状部の直径の１００％以上１２０％以下の範囲の長さになるように形成されている。この場合、ピニオン支持部の軸方向長さが、筒状部の直径の８０％以上１５０％以下の範囲の長さ、望ましくは筒状部の直径の１００％以上１２０％以下の範囲の長さになるように、比較的幅広になるように形成されているので、ピニオンギアを安定した状態で支持することができる。
【００１５】
発明３に係るスピニングリールは、発明１又は２のスピニングリールにおいて、ピニオン支持部は、歯部の前部に配置された第１支持部と、第１支持部の前部に隣接して配置された第２支持部とを有している。この場合、複数の第１支持部及び第２支持部が設けられているので、たとえば軸方向長さが長い特殊形状をした１つの軸受を用いることなく、比較的入手容易かつ安価な汎用の２つの軸受を使用できる。また、特に、複数の第１支持部及び第２支持部として転がり軸受を用いた場合には、内輪のがたつきが第１支持部及び第２支持部の両方に分散されるので、全体のがたつきを低減させることができる。
【００１６】
発明４に係るスピニングリールは、発明１から３のいずれかのスピニングリールにおいて、リール本体に装着され、筒状部の前端部より前方のスプール軸外周を支持する第３支持部をさらに備えている。この場合、ピニオンギアの筒状部の前端部より前方のスプール軸外周を支持する第３支持部を設けることにより、ピニオンギアの内周部とスプール軸との間に隙間が生成される。したがって、ピニオンギアの内周部とスプール軸の外周部とが接触しにくくなるので、スプール軸とピニオンギアとの摩擦力がさらに増加することがなくなり、このためロータの回転効率の低下を抑えることができる。
【００１７】
発明５に係るスピニングリールは、発明１から４のいずれかのスピニングリールにおいて、リール本体に装着され、筒状部の後端部より後方のスプール軸外周を支持する第４支持部とをさらに備えている。この場合、ピニオンギアの筒状部の後端部より後方のスプール軸外周を支持する第４支持部を設けることにより、ピニオンギアの内周部とスプール軸との間に隙間が生成される。したがって、ピニオンギアの内周部とスプール軸の外周部とが接触しにくくなるので、スプール軸とピニオンギアとの摩擦力がさらに増加することがなくなり、このためロータの回転効率の低下を抑えることができる。
【００１８】
発明６に係るスピニングリールは、発明１から５のいずれかのスピニングリールにおいて、ピニオン支持部、第１支持部及び第２支持部は、転がり軸受である。この場合、一般に、静摩擦係数が低い転がり軸受を用いることにより、比較的小さい力でピニオンギアを回転させやすくなる。
【００１９】
発明７に係るスピニングリールは、発明５又は６のスピニングリールにおいて、第４支持部は、滑り軸受である。この場合、たとえば筒状のブッシュ部材等の汎用の滑り軸受を用いることにより、安価な構成で、スプール軸を支持することができる。
【００２０】
発明８に係るスピニングリールは、発明７のスピニングリールにおいて、第４支持部は、合成樹脂製の部材である。この場合、合成樹脂製のブッシュ部材を用いることにより、金属製のブッシュ部材に比して、より安価な構成で形成できるとともに、耐食性を向上できる。
【００２１】
発明９に係るスピニングリールは、発明１から８のいずれかのスピニングリールにおいて、スプール軸及びピニオンギアは、ステンレス合金製の部材である。この場合、ピニオンギアの内周部とスプール軸の外周部とが接触しなくなるので、従来のようにピニオンギアの内周部に支持部を設けたときにピニオンギアの内周部とスプール軸の外周部とが接触し焼き付きを起こすことがなくなる。
【００２２】
発明１０に係るスピニングリールは、発明１から９のいずれかのスピニングリールにおいて、スプール軸は、筒状部の内周部に隙間をあけて貫通している。この場合、ピニオンギアの内周部とスプール軸の外周部とが接触しにくくなるので、スプール軸とピニオンギアとの摩擦力がさらに増加することがなくなり、このためロータの回転効率の低下を抑えることができる。
【００２３】
発明１１に係るスピニングリールは、発明１から１０のいずれかのスピニングリールにおいて、ロータの内部かつ筒状部の外周側に設けられ、ピニオン支持部が歯部との間に配置され、ロータの逆転を禁止・解除するための逆転防止機構をさらに備えている。この場合、第１支持部及び第２支持部が、逆転防止機構の後部かつ歯部の前部に配置されているので、第１支持部及び第２支持部が逆転防止機構を挟んで前後に配置されている場合に比して、ピニオンギアのがたつきを抑えることができる。
【００２４】
発明１２に係るスピニングリールは、発明１１のスピニングリールにおいて、逆転防止機構は、ロータの内周部に装着された外輪と、筒状部の外周に装着された内輪と、外輪と内輪との間に配置された転動体とを有している。この場合、逆転防止機構として、たとえばローラ式のワンウェイクラッチを設けることにより、ロータの逆転の禁止・解除が迅速かつ確実に行える。
【発明の効果】
【００２５】
本発明によれば、スピニングリールにおいて、ピニオンギアの筒状部を回転自在に支持するピニオン支持部が、歯部の前部近傍にのみ配置されているので、リール全体の大型化を防止できる。
【発明を実施するための最良の形態】
【００２６】
本発明の一実施形態を採用したスピニングリールは、図１及び図２に示すように、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。なお、図１ではハンドル１がリール本体２の左側に、図２では右側に装着している。このように、ハンドル１はリール本体２の左右いずれにも装着可能である。
【００２７】
ハンドル１は、Ｔ字状のハンドル把手１ａと、先端にハンドル把手１ａが回転自在に装着されたハンドルアーム１ｂとを有している。ハンドルアーム１ｂの基端部には、ハンドルアーム１ｂと交差する方向に延びて形成され、後述するハンドル軸１０に回転不能に装着されるハンドル軸部１ｃをさらに有している。
【００２８】
リール本体２は、内部に空間を有するリールボディ２ａと、リールボディ２ａの空間を塞ぐためにリールボディ２ａに着脱自在に装着される蓋部材２ｂとを有している。
【００２９】
リールボディ２ａは、たとえばアルミニウム合金製であり、上部に前後に延びるＴ字形の竿取付脚２ｃが一体形成されている。図２に示すように、リールボディ２ａの空間内には、ロータ３をハンドル１の回転に連動して回転させるロータ駆動機構５と、スプール４を前後に移動させて釣り糸を均一に巻き取るためのオシレーティング機構６とが設けられている。リールボディ２ａ及び蓋部材２ｂの前端には、円形のフランジ部２ｄと、フランジ部２ｄより小径で先端が開口する円筒部２ｅとが形成されている。円筒部２ｅには、断面が円形状に切り欠かれた装着溝２ｆが形成されている。
【００３０】
リールボディ２ａの側部には、図２及び図３に示すように、後述するスプール軸１５が貫通し、かつ後述する第４支持部１４ｄを前方から収納可能な有底筒状の取付凹部２ｇが形成されている。取付凹部２ｇは、前部が開口し、後部中央にスプール軸１５が貫通する貫通孔が形成された底部を有するボス部であって、リールボディ２ａの側方に突出した部分をＴスロットによる切削加工によって形成されている。また、リールボディ２ａ及び蓋部材２ｂの側部には、ハンドル軸１０が挿通可能な図示しない円形の貫通孔がそれぞれ形成されている。リールボディ２ａ及び蓋部材２ｂの内側面の貫通孔の周囲には、ハンドル軸１０を回転自在に支持する図示しない転がり軸受が収納可能な装着凹部２ｈがそれぞれ凹んで形成されている。ここでは、取付凹部２ｇは、Ｔスロットによる切削加工によって形成されているので、装着凹部２ｈは、側面から見て取付凹部２ｇの後端部の一部がオーバーラップする位置に配置することができる。このため、従来のように取付凹部２ｇの後端部の一部を切り欠く加工を施す必要がなくなるとともに、装着凹部２ｈを大径化できるのでハンドル軸１０を支持する転がり軸受を大きくできるので、転がり軸受にかかる耐荷重を増加できる。
【００３１】
蓋部材２ｂは、たとえばアルミニウム合金製の部材であり、たとえば３箇所でリールボディ２ａにビス止めされている。
【００３２】
ロータ３は、図２に示すように、ロータ本体１６と、ロータ本体１６の先端に糸開放姿勢と糸巻き取り姿勢とに揺動自在に装着されたベールアーム１７と、ベールアーム１７を糸開放姿勢から糸巻き取り姿勢に戻すためにロータ本体１６に装着されたベール反転機構１８とを有している。
【００３３】
ロータ本体１６は、リールボディ２ａにスプール軸１５回りに回転自在に装着された円筒部３０と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり、一体成形されている。
【００３４】
円筒部３０の前部には、前壁３３が形成されており、前壁３３の中央部には、ボス部３３ａが形成されている。ボス部３３ａの中心部には、貫通孔が形成されており、この貫通孔をピニオンギア１２の前部１２ａ及びスプール軸１５が貫通している。前壁３３の前部にロータ３の固定用のナット部材１３が配置されている。
【００３５】
第１ロータアーム３１の先端の外周側には、第１ベール支持部材４０が揺動自在に装着されている。第２ロータアーム３２の先端内周側には、第２ベール支持部材４２が揺動自在に装着されている。第１ベール支持部材４０の先端には、釣り糸をスプール４に案内するためのラインローラ４１と、ラインローラ４１を挟んで第１ベール支持部材４０に固定された固定軸カバー４７とが装着されている。ラインローラ４１は、第１ベール支持部材４０の先端に回転自在に装着されている。固定軸カバー４７は、先端が尖った変形円錐形状である。固定軸カバー４７の先端部と第２ベール支持部材４２との間には線材を略Ｕ字状に湾曲させた形状のベール４３が固定されている。これらの第１ベール支持部材４０及び第２ベール支持部材４２、ラインローラ４１、ベール４３及び固定軸カバー４７により、釣り糸をスプール４に案内するベールアーム１７が構成される。
【００３６】
ベール反転機構１８は、第１ロータアーム３１の収納空間４８内に配置されている。ベール反転機構１８は、ベールアーム１７を糸開放姿勢から糸巻き取り姿勢にロータ３の回転に連動して復帰させるとともに、両姿勢でその状態を保持するために設けられている。
【００３７】
ロータ３の円筒部３０の内部には、図２に示すように、ロータ３の逆転を禁止、解除するための逆転防止機構７０が配置されている。逆転防止機構７０は、ローラ型のワンウェイクラッチ７２と、リールボディ２ａの下部に配置されワンウェイクラッチ７２を作用状態と非作用状態とに切り換えるストッパつまみ７３とを有している。ワンウェイクラッチ７２は、外輪が円筒部２ｅの内周側に装着され、内輪が後述するピニオンギア１２の外周部に装着されている。ここでは、ストッパつまみ７３を左右に揺動操作することにより、ワンウェイクラッチ７２の作動状態と非作動状態とを切り換える。
【００３８】
スプール４は、ロータ３の第１ロータアーム３１と第２ロータアーム３２との間に配置されており、スプール軸１５の先端にドラグ機構６０を介して装着されている。スプール４は、外周に釣り糸が巻かれる糸巻胴部４ａと、糸巻胴部４ａの後部に一体で形成されたスカート部４ｂと、糸巻胴部４ａの前端に一体で形成されたフランジ部４ｃとを有している。
【００３９】
ロータ駆動機構５は、図２に示すように、ハンドル１が回転不能に装着されたハンドル軸１０と、ハンドル軸１０とともに回転するフェースギア１１と、このフェースギア１１に噛み合うピニオンギア１２とを有している。
【００４０】
ピニオンギア１２は、ステンレス合金製の筒状部材であって、ピニオンギア１２の前部１２ａはロータ３の中心部を貫通し、ナット部材１３によりロータ３と固定されている。ピニオンギア１２は、図２及び図３に示すように、中間部１２ｉの２箇所が、ピニオン支持部１４を介してリール本体２に回転自在に支持されている。
【００４１】
ピニオンギア１２は、図３に示すように、釣竿の軸方向に沿う軸回りに回転自在にリール本体２に装着されており、ピニオンギア１２の前部１２ａはロータ３の中心部を貫通し、ナット部材１３によりロータ３に固定されている。ピニオンギア１２は、内周部にスプール軸１５が隙間１２ｅをあけて貫通する筒状部１２ｂと、筒状部１２ｂの後部１２ｆ外周に設けられフェースギア１１に噛み合う歯部１２ｃと、筒状部１２ｂの前部１２ａ外周に設けられロータ３に回転不能に装着される装着部１２ｄを有している。
【００４２】
筒状部１２ｂは、図３に示すように、ステンレス合金製の筒状の部材であり、中間部１２ｉの２箇所が、隣接して配置された第１支持部１４ａ及び第２支持部１４ｂを介してリール本体２に回転自在に支持されている。筒状部１２ｂの内部には、スプール軸１５が貫通しており、筒状部１２ｂとスプール軸１５との間には、隙間１２ｅが生成されている。
【００４３】
歯部１２ｃは、図３に示すように、筒状部１２ｂの中間部１２ｉと後部１２ｆとの間の外周にはす歯状に形成されており、フェースギア１１に噛み合っている。歯部１２ｃは、後述するオシレーティング機構６の中間ギア２０にも噛み合っている。
【００４４】
装着部１２ｄは、図３に示すように、筒状部１２ｂの前部１２ａ外周に面取り形成された対向する平坦面からなる面取り部１２ｈと、面取り部１２ｈの前側に形成された雄ねじ部１２ｇとにより構成され、ロータ３に回転不能に装着される。雄ねじ部１２ｇは、装着部１２ｄの前側外周面に形成されており、雄ねじ部１２ｇにナット部材１３が螺合する。ナット部材１３は、図２及び図３に示すように、リテーナ１３ａにより回り止めされている。リテーナ１３ａは、ロータ３の前壁３３に前方から装着される複数のねじ部材１３ｂにより固定されている。
【００４５】
ピニオン支持部１４は、図３に示すように、筒状部１２ｂの中間部１２ｉの２箇所の外周に隣接して装着された２つの転がり軸受からなる第１支持部１４ａ及び第２支持部１４ｂを有している。第１支持部１４ａの前部は、第２支持部１４ｂの後部と隣接している。第１支持部１４ａ及び第２支持部１４ｂは、逆転防止機構７０のワンウェイクラッチ７２の後部かつ歯部１２ｃの前部近傍にのみに配置されている。第１支持部１４ａ及び第２支持部１４ｂは、外輪が円筒部２ｅの内周部に装着され、内輪が筒状部１２ｂの面取り部１２ｈ形成部分の後側に形成された中間部１２ｉに装着されている。また、第１支持部１４ａ及び第２支持部１４ｂを合わせた軸方向長さは、筒状部１２ｂの直径の８０％以上１５０％以下の範囲の長さ、望ましくは筒状部１２ｂの直径の１００％以上１２０％以下の範囲の長さになるように形成されている。具体的には、第１支持部１４ａ及び第２支持部１４ｂを合わせた軸方向長さは、筒状部１２ｂの直径の１１５％の長さになるように形成されている。ここでは、第１支持部１４ａ及び第２支持部１４ｂを合わせた軸方向長さが、比較的幅広になるように形成されているので、ピニオンギア１２を安定した状態で支持することができる。
【００４６】
スプール軸１５は、図２及び図３に示すように、ステンレス合金製の軸部材であり、前端部にはドラグ機構６０を介してスプール４が連結され、後端部には後述するオシレーティング機構６のスライダ２２が固定されている。スプール軸１５は、ピニオンギア１２の内周部を貫通しており、筒状部１２ｂの前部１２ａより前方及び筒状部１２ｂの後部１２ｆより後方のスプール軸１５外周は、それぞれ第３支持部１４ｃ及び第４支持部１４ｄによって回転自在に支持されている。
【００４７】
第３支持部１４ｃは、図３に示すように、スプール軸１５の外周に装着された転がり軸受である。第３支持部１４ｃは、外輪がナット部材１３の前端側内周部に装着され、内輪が筒状部１２ｂの前部１２ａより前方のスプール軸１５外周に装着されている。
【００４８】
第４支持部１４ｄは、図３に示すように、合成樹脂製の筒状部材であって、ブッシュ部材等の汎用の滑り軸受である。第４支持部１４ｄは、外周が取付凹部２ｇ内周部に装着され、内周が筒状部１２ｂの後部１２ｆより後方のスプール軸１５外周に装着されている。
【００４９】
オシレーティング機構６は、図２に示すように、スプール４の中心部にドラグ機構６０を介して連結されたスプール軸１５を前後方向に移動させてスプール４を同方向に移動させるための機構である。オシレーティング機構６は、トラバースカム式のものであり、ピニオンギア１２の歯部１２ｃに噛み合う中間ギア２０と、リールボディ２ａにスプール軸１５と平行な軸回りに回転自在に装着された螺軸２１と、螺軸２１の回転により前後移動するスライダ２２とを有している。スライダ２２にスプール軸１５の後端部が回転不能かつ軸方向移動不能に取り付けられている。
【００５０】
次に、リールの操作及び動作について詳細に説明する。
【００５１】
キャスティング時には図示しない逆転防止機構によりロータ３を逆転禁止状態にして手でベールアームを持ってベールアーム１７を糸開放姿勢に反転させる。ベールアーム１７が糸開放姿勢に倒れた状態では、スプール４からの釣り糸を容易に繰り出すことが可能である。
【００５２】
この状態で釣竿を握る手の人差し指で釣り糸を引っ掛けながら釣竿をキャスティングする。すると釣り糸は仕掛けの重さにより勢いよく放出される。
【００５３】
キャスティング後に、ベールアーム１７を糸開放姿勢に維持したままの状態でハンドル１を糸巻き取り方向に回転させると、ロータ駆動機構５によりロータ３が糸巻き取り方向に回転する。ロータ３が糸巻き取り方向に回転すると、ベールアーム１７がベール反転機構１８により糸巻き取り姿勢に復帰する。
【００５４】
このようなスピニングリールでは、ピニオンギア１２の筒状部１２ｂの前部１２ａより前方及び筒状部１２ｂの後部１２ｆより後方のスプール軸１５外周をそれぞれ支持する第３支持部１４ｃ及び第４支持部１４ｄを設けることにより、ピニオンギア１２の内周部とスプール軸１５との間に全長にわたって隙間１２ｅが生成される。したがって、ピニオンギア１２の内周部とスプール軸１５の外周部とが接触しなくなるので、スプール軸１５とピニオンギア１２との摩擦力がさらに増加することがなくなり、このためロータ３の回転効率の低下をさらに抑えることができる。
【００５５】
さらに、このスピニングリールでは、ピニオンギア１２の筒状部１２ｂを回転自在に支持するピニオン支持部１４である２つの第１支持部１４ａ及び第２支持部１４ｂが、逆転防止機構７０のワンウェイクラッチ７２の後部かつ歯部１２ｃの前部近傍にのみ隣接して配置されているので、従来のように第１支持部１４ａ及び第２支持部１４ｂを歯部１２ｃを挟んで筒状部１２ｂの前後に設ける必要がなくなるので、ピニオンギア１２の前後長さを短くすることができる。したがって、リール本体２をコンパクトにすることができ、リール全体の大型化を防止することができる。
【００５６】
また、従来のようにピニオン支持部１４を取り付けるための軸受装着部を、ピニオンギア１２の後部に設ける必要がなくなるので、リール本体２の内部に各部材を配置するスペースを確保するためにリール本体２を大きく形成する必要がなくなるので、リール全体のさらなる大型化を防止することができる。
【００５７】
〔他の実施形態〕
（ａ）  前記実施形態では、フロントドラグ式のスピニングリールを例に説明したが、リアドラグ式のスピニングリールやレバーブレーキ式のスピニングリール等の全ての形式のスピニングリールに本発明を適用できる。
【００５８】
（ｂ）  前記実施形態では、第３支持部１４ｃは、転がり軸受であったが、図４及び図５に示すように、滑り軸受であってもよい。さらに、第４支持部１４ｄは、転がり軸受であったが、図５に示すように、滑り軸受であってもよい。また、第１支持部１４ａ及び第２支持部１４ｂについても、転がり軸受又は滑り軸受のいずれかを任意の組み合わせで選択できる。また、滑り軸受は、合成樹脂製のブッシュ部材に限定されるものではなく、他の材質の部材であってもよい。
【００５９】
（ｃ）  図６に示すように、スプール軸１５は、最後方へ移動させたとき後端部が第４支持部１４ｄより前側に設けられた第１軸部１５ａと、第１軸部１５ａの後部に第１軸部１５ａより小径に形成され外周が第４支持部１４ｄに支持される第２軸部１５ｂとを有している構成にしてもよい。この場合、第４支持部１４ｄとスプール軸１５との摩擦力を減少させることができるので、スプール軸１５の摺動効率の低下を抑えることができる。
【００６０】
（ｄ）  前記実施形態では、ピニオン支持部１４として２つの第１支持部１４ａ及び第２支持部１４ｂを設けていたが、図７に示すように、ピニオン支持部１４として１つの軸受を設ける構成にしてもよい。なお、１つのピニオン支持部１４は、１つの玉列からなる玉軸受に限定されるものではなく、たとえばいずれも図示しないが、複数の玉列からなる玉軸受であってもよいし、あるいは複列円筒ころ軸受であってもよい。
【図面の簡単な説明】
【００６１】
【図１】本発明の一実施形態を採用したスピニングリールの左側面図。
【図２】前記スピニングリールの左側面断面図。
【図３】ピニオンギア周辺の側面断面拡大図。
【図４】他の実施形態の図３に相当する図。
【図５】他の実施形態の図３に相当する図。
【図６】他の実施形態の図３に相当する図。
【図７】他の実施形態の図３に相当する図。
【符号の説明】
【００６２】
１  ハンドル
２  リール本体
２ｇ  取付凹部
２ｈ  装着凹部
３  ロータ
４  スプール
５  ロータ駆動機構
６  オシレーティング機構
１０  ハンドル軸
１１  フェースギア
１２  ピニオンギア
１２ａ  前部
１２ｂ  筒状部
１２ｃ  歯部
１２ｄ  装着部
１２ｅ  隙間
１２ｆ  後部
１２ｇ  雄ねじ部
１２ｈ  面取り部
１２ｉ  中間部
１３  ナット部材
１３ａ  リテーナ
１３ｂ  ねじ部材
１３ｃ  雌ねじ部
１３ｄ  装着凹部
１４  ピニオン支持部
１４ａ  第１支持部
１４ｂ  第２支持部
１４ｃ  第３支持部
１４ｄ  第４支持部
１５  スプール軸
【図１】
2006333756.tif 000003
【図２】
2006333756.tif 000004
【図３】
2006333756.tif 000005
【図４】
2006333756.tif 000006
【図５】
2006333756.tif 000007
【図６】
2006333756.tif 000008
【図７】
2006333756.tif 000009